(57)【要約】【課題】対面配置した机間で机に内蔵された配線ダクト空間を使用して配線する場合に、対面配置した机に配線しにくい構造であるので、配線が剥き出しになり、見苦しいとともに断線などの不具合を生じる可能性がある。【解決手段】天板４の後縁部近傍に配置される配線用空間（ＤＳ）と、対面方向にある外部の空間とを連通し得る連通部１１Ａを有する配線通孔部１１を備える机１であって、配線通孔部１１が、取り付けられた状態で前方に移動可能な蓋体１１２を着脱可能に備え、連通部１１Ａが蓋体１１２により閉鎖され得る構成である。【選択図】図２
2004329340.tif 000002
【特許請求の範囲】
【請求項１】
天板の後縁部近傍に配置される配線用空間と、対面方向にある外部の空間とを連通し得る連通部を有する配線通孔部を配線用空間の後壁の一部に備える机であって、配線通孔部が、取り付けられた状態で前方に移動可能な蓋体を着脱可能に備え、連通部が蓋体により閉鎖され得ることを特徴とする机。
【請求項２】
蓋体が、連通部の上側部分を閉鎖する上蓋部と、その上蓋部に蝶番手段を介して取り付けられて連通部の後側部分を塞ぐ後蓋部と．を備えることを特徴とする請求項１記載の机。
【請求項３】
連通部が蓋体を案内する案内部分を備え、蓋体が、案内部分に係り合う関連部を上蓋部に備えるとともに、上蓋部の後方への移動を制限する移動制限部を備えることを特徴とする請求項２記載の机。
【請求項４】
案内部分が一対の凸条からなり、閉じた際に後蓋部がそれぞれの凸条の後端と係り合うことにより後蓋部の動きが規制されることを特徴とする請求項３記載の机。
【発明の詳細な説明】
【０００１】
【発明の属する技術分野】
本発明は、学校やオフィスなどにおいて、ＯＡ機器などを載置して好適に使用される机に関するものである。
【０００２】
【従来の技術】
従来、学校やオフィスなどにおいて机の天板上にＯＡ機器類を載置して使用する際には、電力線や通信線などを床や壁や隣接する机から導く必要があり、その配線を好適に引き回す必要がある。このため、従来の机にあっては、例えば特許文献１に示されるように、天板の後縁部に配線ダクトを設け、横方向に机を並べて配置した場合に、隣接する机間において電力線や通信線などをそれぞれの配線ダクト内に通して配線できるように構成してある。
【０００３】
【特許文献１】
特開平１１−１７８６４７号公報
【０００４】
【発明が解決しようとする課題】
ところで、室内の有効利用のために、机を対面配置するとともに横方向に並べて配置することがある。このような対面配置を行う場合、横方向には配線ダクトを用いて、電力線や通信線などを比較的容易に配線することができる。一方、対面配置した机間で配線を行う場合、対面している机の配線ダクトに配線を通そうとすると、一方の机の配線ダクトの一方の端部から電力線や通信線などを引き出し、床面において配線を引き回した後、他方の机の配線ダクトの一方の端部から配線ダクト内に引き入れる必要がある。このため、このような机を対面配置した場合には、電力線や通信線などが配線ダクトから床面など配線ダクトの外部に出てしまうため、見苦しいばかりでなく、その露出部分において電力線や通信線などを引っかけると言った不具合を生じた。また、電力線や通信線などが床面上に露出しているため、見苦しいばかりでなく、机の使用時には足下が煩雑になりやすく、椅子やワゴンなどのキャスタに踏まれることにより安全性を低下させるものとなった。
【０００５】
このような不具合に鑑みて、床を二重にして、スラブと床面との間に電力線や通信線などを配線するものが考えられるが、設置時に費用がかさばるばかりでなく、例えば机の配置を変更した際には、床面をめくって配線変更作業をしなければならず、作業時間が長くなるとともに、費用などが上昇した。
【０００６】
そこで本発明は、以上のような問題に鑑みて、対面配置した机間で容易に電力線や通信線などを配線することができる机を提供しようとするものである。
【０００７】
【課題を解決するための手段】
すなわち、本発明の机は、天板の後縁部近傍に配置される配線用空間と、対面方向にある空間とを連通し得る連通部を有する配線通孔部を配線用空間の後壁の一部に備える机であって、配線通孔部が、取り付けられた状態で前方に移動可能な蓋体を着脱可能に備え、連通部が蓋体により閉鎖され得ることを特徴とする。
【０００８】
このよう構成によれば、配線通孔部は配線用空間と対面方向にある外部の空間とに連通し得るので、対面配置を行った場合に、配線用空間にある電力線や通信線などをその配線通孔部を介して対面する方向に対して配線することが可能になる。また、配線通孔部には、移動可能な蓋体により連通部が開閉可能であるので、配線通孔部を選択的に使用することができる。さらに、蓋体は、手前方向にスライド移動し得るので、壁体上方にデスクパネルなどのオプションを取り付けた状態でも取り外せることができ、配線変更などの作業性を向上させることが可能である。
【０００９】
見栄えを向上させるためには、蓋体が、連通部の上側部分を閉鎖する上蓋部と、その上蓋部に蝶番手段を介して取り付けられて連通部の後側部分を塞ぐ後蓋部とを備えるものが好ましい。この場合に、対面配置で使用しない場合に、蓋体の脱落を確実に防止するためには、連通部が蓋体を案内する案内部分を備え、蓋体が、案内部分に係り合う関連部を上蓋部に備えるとともに、上蓋部の後方への移動を制限する移動制限部を備えるものが好適である。加えて、案内部分が一対の凸条からなり、閉じた際に後蓋部がそれぞれの凸条の後端と係り合うことにより後蓋部の動きが規制される構成とすれば、後蓋部が不用意に開くことを防ぐことが可能になる。
【００１０】
【発明の実施の形態】
以下、本発明の一実施形態を、図１〜７を参照して説明する。
【００１１】
図１において、机１は、脚部となるサイドパネル２及び袖３と、サイドパネル２と袖３とにより支持される天板４と、サイドパネル２と袖３との背面端側に取り付けられる背面パネル５とを主として形成され、背面パネル５の上縁に連続するようにして、配線通孔部１１を有する化粧部材７が取り付けられている。この実施形態においては、配線通孔部１１が化粧部材７の両端部分に配置されるものである。
【００１２】
天板４の背面端側には、背面パネル５に設けられる配線保持用の配線ダクト空間ＤＳを形成する樋９の上方を開閉可能に閉じるダクトカバー６が、天板４と化粧部材７との間に取り付けられる。ダクトカバー６は合成樹脂製で、平板形状をしており、この実施形態にあっては、左右カバー６ａ，６ｂと中央カバー６ｃとに三分割してある。左右カバー６ａ，６ｂは、その一方の側端にスライド移動可能に取り付けられた蓋６１ａにより常時は塞がれている切欠孔６１が設けられている。このダクトカバー６は、その上面が天板４の上面及び化粧部材７の上面とほぼ面一になるように取り付けられ、化粧部材７の上面とともに実質的に机１の天板４の上面を拡張しているものである。配線ダクト空間ＤＳの左右の側端部は、正面視アングル形状のサイドカバー１０により閉塞されている。
【００１３】
サイドカバー１０は、正面視逆Ｌ字形をしており、その側面の下半部分が分離可能に形成してある。すなわち、サイドカバー１０は、机１の取付部から取外されると、側面の下半部分を構成するサイドキャップ１０１と上面部材１０２とに分離できる構成である。上面部材１０２の上面部分には、机１に取り付けられた際に下方向に観音開きの蓋が取り付けられている。サイドキャップ１０１を取り外すことにより、配線ダクト空間ＤＳの配線を机１の横方向に取り出すことができる。つまり、机１を横方向に並べた場合に、隣接する机１の配線ダクト空間ＤＳ同士をサイドカバー１０のサイドキャップ１０１をはずした開口部分を介して連通させることができるものである。
【００１４】
化粧部材７は、その奥行き方向の寸法（前後方向の幅寸法）をダクトカバー６の幅より小さく設定してあり、その両端には配線通孔部１１を介してサイドパネル２及び袖３に固定されたコーナーカバー８が連結されて、背面パネル５の上縁に連続して配置される。したがって、化粧部材７は、配線ダクト空間ＤＳの上縁近傍の後壁として機能する。コーナーカバー８の上面には、例えばデスクトップパネル等のオプションを取り付けるための角孔が設けられており、略長方形状の平板からなる２分割できるポストキャップが、その角孔の上端近傍に設けられた溝に係り合わされて、角孔を閉塞している。
【００１５】
配線通孔部１１は、図２に示すように、化粧部材７の一部をなすもので、言い換えれば化粧部材７の一部を切除して、机１の前後方向及び上方向に開放された開口部を形成することにより実現される。この配線通孔部１１は、連通部１１Ａを形成する基礎部材１１１と、基礎部材１１１にスライド移動可能に取り付けられる蓋体１１２とを備えている。基礎部材１１１及び蓋体１１２とは、合成樹脂製である。
【００１６】
基礎部材１１１は、背面パネル５の上端に取り付けられるもので、チャネル形状をしており、その側壁１１１ａの上端に蓋体１１２を係り合わせるための案内部分である凸条１１１ｂが形成してある。凸条１１１ｂは、側壁１１１ａの内側に突出して対向するように形成されており、その後端は、基礎部材１１１の後面から蓋体１１２の後蓋部１１２ｂの厚みにほぼ等しい寸法だけ前側に位置している。したがって、基礎部材１１１に蓋体１１２が取り付けられた状態で後蓋部１１２ｂが閉じられると、後蓋部１１２ｂの上端部分が凸条１１１ｂに接触し（図６に示す）、後蓋部１１２ｂが後方に開くことを防止する。このような基礎部材１１１により、化粧部材７の一部が取り除かれたようになり、天板４側、上側及び後側に開放された連通部１１Ａが形成されることになる。つまりこの連通部１１Ａは、天板４側、上側及び後方言い換えれば対面方向に向かってそれぞれ開放されているもので、蓋体１１２を取り付けない場合は電力線や通信線などの配線の作業を上側から行うことが可能な構造である。
【００１７】
これに対して、蓋体１１２は、図３〜図６に示すように、連通部１１Ａの上側部分を閉鎖する上蓋部１１２ａと、その上蓋部１１２ａに蝶番手段である蝶番部１１２ｃを介して取り付けられる後蓋部１１２ｂとを備えている。上蓋部１１２ａは、その前縁の両端に上蓋部１１２ａの対面方向への移動を禁止する制止部であるストッパ１１２ｄを有し、その下面の両側縁近傍には凸条１１１ｂが係り合う関連部である溝部１１２ｅを備えている。溝部１１２ｅは、その後端が開放されているともに、その前端はストッパ１１２ｄによりほぼ閉鎖されている。後蓋部１１２ｂは、その下縁部分１１２ｂａがほぼ直角に折り返してあり、その下縁部分１１２ｂａの幅方向のほぼ中央に後蓋部１１２ｂを開く際に指をかけるための、断面アングル形状の指掛部１１２ｂｂが設けてある。この下縁部分１１２ｂａの長さは、ストッパ１１２ｄの対向する側面間の距離にほぼ等しくしてある。蝶番部１１２ｃは、後蓋部１１２ｂの上縁近傍に形成された軸支持部分１１２ｃａと、その軸支持部分１１２ｃａの両端に接触するように上蓋部１１２ａ下面に設けられる軸受部分１１２ｃｂと、軸支持部分１１２ｃａと軸受部分１１２ｃｂとを貫通する回転軸１１２ｃｃとから構成される。このように、軸受部分１１２ｃｂにより支持された回転軸１１２ｃｃに対して、後蓋部１１２ｂが軸支持部分１１２ｃａにおいて回転可能に支持されるものである。
【００１８】
このような構成において、配線通孔部１１を使用していない場合は、蓋体１１２が基礎部材１１１に取り付けてある。図５及び図６に示すように、蓋体１１２は、基礎部材１１１の凸条１１１ｂに溝部１１２ｅが係り合っており、蓋体１１２を折り畳んだ状態にすることにより机１の前後方向への移動が可能な状態になっている。すなわち、蓋体１１２は、その後蓋部１１２ｂが閉じられていると溝部１１２ｅの後端を閉鎖するようにしているので、図６に示すように、移動させようとすると後蓋部１１２ｂに凸条１１１ｂが突き当たり、天板４側への移動が不能となっている。また、上蓋部１１２ａのストッパ１１２ｄにより、蓋体１１２は天板４から遠ざかる方向への移動も不能になっている。
【００１９】
このように、配線通孔部１１の連通部１１Ａに取り付けられた蓋体１１２は、折り畳んだ状態にすることにより天板４の後縁部の方向つまり手前方向にスライド移動が可能となる。つまり、蓋体１１２を折り畳むことにより、後蓋部１１２ｂが凸条１１１ｂの後端から離れ、溝部１１２ｅの後端から凸条１１１ｂが突出し得る状態となる。したがって、後蓋部１１２ｂを上蓋部１１２ａに重ね合わせた状態で手前方向に移動させると、蓋体１１２が基礎部材１１１からはずれる。
【００２０】
この実施の形態の机１を対面配置すると、それぞれの机１の配線通孔部１１が対向するものとなる。それぞれの配線通孔部１１には蓋体１１２が取り付けてあるので、蓋体１１２が化粧部材７の上面とほぼ面一であるため、配線通孔部１１のない机と同様の外観となる。
【００２１】
対面配置された机１間において電力線や通信線などの配線を行う場合は、蓋体１１２を取り外して配線通孔部１１の連通部１１Ａを露出させる。すなわち、図６に示すように、後蓋部１１２ｂが連通部１１Ａの後側を閉じているので、後蓋部１１２ｂの下縁部分１１２ｂａを持ち上げて、後蓋部１１２ｂを上蓋部１１２ａの下面側にて上蓋部１１２ａと重ね合わせる。そして、後蓋部１１２ｂと上蓋部１１２ａとを重ね合わせた状態で蓋体１１２を天板４の方向つまり手前に引くと、蓋体１１２が凸条１１１ｂに案内されて配線ダクト空間ＤＳの上方の位置に移動する。これによって、配線通孔部１１が開放される。
【００２２】
このように、蓋体１１２は、机１の後方に向かって移動するのではなく、配線ダクト空間ＤＳの上方を有効に利用して手前に移動するので、化粧部材７の上に例えばデスクパネルが配置されている状態であっても、対面配置されている机１を動かすことなく配線通孔部１１を開放することができる。したがって、机１を配置した後に配線作業を行うことがあっても、簡単な作業により配線作業のできる環境を作ることができる。
【００２３】
以上のようにして蓋体１１２を配線通孔部１１の連通部１１Ａから取り外し、それぞれの配線通孔部１１に蓋体１１２を取り付けていない状態では、両方の机１の配線ダクト空間ＤＳがそれぞれの配線通孔部１１の連通部１１Ａにより相互に連通するところとなる。この時、連通部１１Ａはその前方向、上方向及び後方向に開放された状態にあるので、例えば一方の机１の配線ダクト空間ＤＳに配置された配線を、それぞれの連通部１１Ａを介して上方からの作業により他方の配線ダクト空間ＤＳに導くことができる。したがって、複数の机１を横方向に並列に配置し、かつそれぞれの机１に対して机１を対面配置する場合に、各机１の配線ダクト空間ＤＳと配線通孔部１１とを利用することにより、電力線や通信線などの配線を床に這わせることなく引き回すことができる。それ故、それらの配線につまずいて衝撃的に引っ張ったり椅子やワゴンなどのキャスタにより踏みつけたりすることを回避することができ、よって配線を確実に保護することができる。また、このような配線作業は、机１の上側から行えるので、例えば机１の下肢空間における作業などに比べて作業効率を高くすることができるとともに、作業者の負担を軽減することができる。
【００２４】
このようにしてそれぞれの机１間において配線が完了すると、それぞれの机１の配線通孔部１１の連通部１１Ａに対して蓋体１１２を取り付ける。蓋体１１２は、ダクトカバー６の幅より小さい奥行き寸法であるので、ダクトカバー６を開いた状態で、配線ダクト空間ＤＳから後方つまり天板４から遠ざかる方向に移動させることで、連通部１１Ａしたがって基礎部材１１１に取り付けることができる。すなわち、取り付けるに際して、蓋体１１２は、蝶番部１１２ｃにより上蓋部１１２ａと後蓋部１１２ｂとを重ね合わせる。そして、上蓋部１１２ａの上面を化粧部材７の上面とほぼ面一な状態にすると、上蓋部１１２ａの溝部１１２ｅがそれぞれの凸条１１１ｂに係り合う位置となる。この状態で蝶番部１１２ｃで折り曲げた蓋体１１２を対面配置している机１の方向に移動させると、溝部１１２ｅに凸条１１１ｂが嵌り、凸条１１１ｂに案内されて蓋体１１２が天板４から離れる方向に移動する。そして、上蓋部１１２ａのストッパ１１２ｄがそれぞれの凸条１１１ｂに突き当たることにより、蓋体１１２は後方への移動を規制されその位置で停止する。これにより、連通部１１Ａの上側が上蓋部１１２ａにより閉じられ、連通部１１Ａの後側は、図７に示すように、配線ＷＲのために後蓋部１１２ｂが閉まらずに開かれた状態を維持する。
【００２５】
このように、配線後、配線通孔部１１の連通部１１Ａの少なくとも上部分を蓋体１１２で閉じることにより、配線を行う前と同じ状態に机１上面の面積を維持することができる。しかも、蓋体１１２にはストッパ１１２ｄが設けてあるので、対面配置されている机１の配線通孔部１１に蓋体１１２がなくとも脱落することがない。それ故、例えば対面配置していない場合において、蓋体１１２が不用意に配線通孔部１１から脱落することを確実に防止することができる。
【００２６】
なお、本発明は以上説明した実施の形態に限定されるものではない。
【００２７】
上記実施の形態では、蓋体１１２を案内する案内部分としての凸条１１１ｂを、また案内部分に係り合う関連部として溝部１１２ｅをそれぞれ説明したが、凸条を上蓋部１１２ａに設けるとともに、溝部を連通部１１Ａつまり基礎部材１１１に設けるものであってもよい。
【００２８】
蓋体１１２は、配線通孔部１１に取り付ける際に、上蓋部１１２ａと後蓋部１１２ｂとを重ね合わせて、つまり蝶番部１１２ｃにおいて折り畳んで凸条１１１ｂに係り合わせるものであるが、この場合に上蓋部１１２ａと後蓋部１１２ｂとを重ね合わせを維持するように、上蓋部１１２ａと後蓋部１１２ｂとの間に係止手段を設けるものであってもよい。このような構成にすることにより、蓋体１１２の重ね合わせ状態を手で維持する必要がなくなるので、蓋体１１２の取付作業の労力を軽減することができる。
【００２９】
また配線通孔部１１の形成位置とその長さ（大きさ）は適宜設定するものであってよく、例えば化粧部材７における１カ所に設定するものでは、机１を対面配置した場合にそれぞれ配線通孔部１１同士が少なくともその一部分において重なり合うように位置を設定するとともに、重なり合う部分の長さができるかぎり長くなるようにその長さを設定するものである。このような構成とすることにより、高さ以外の寸法の異なる机同士を対面配置する場合にあっても、配線通孔部１１同士が連通するようにすることができる。
【００３０】
上記実施の形態にあっては、袖を備える机を説明したが、天板４を２枚のサイドパネル２により支持するものにあっても、上記した配線通孔部１１を適用することが可能である。
【００３１】
その他、各部の具体的構成についても上記実施形態に限られるものではなく、本発明の趣旨を逸脱しない範囲で種々変形が可能である。
【００３２】
【発明の効果】
本発明は、以上説明したような形態で実施され、以下に記載されるような効果を奏する。
【００３３】
すなわち、本発明の机によれば、対面配置をした場合に、配線空間にある配線を配線通孔部を介して引き回すことができるので、配線作業を容易にすることができ、作業効率を高くすることができる。また配線を床上にすることを回避することができるので、見栄えを向上させることができるとともに、断線などの不具合を解消することができる。
【図面の簡単な説明】
【図１】本発明の一実施の形態の全体を示す斜視図。
【図２】同実施の形態の要部を拡大して示す斜視図。
【図３】同実施の形態の蓋体の斜視図。
【図４】同実施の形態の蓋体の側面図。
【図５】同実施の形態の蓋体の溝部と基礎部材の凸条との係り合いを示す断面図。
【図６】同実施の形態の蓋体のストッパと凸条との係り合いを示す断面図。
【図７】同実施の形態の使用時における要部を拡大して示す斜視図。
【符号の説明】
１…机
４…天板
１１…配線通孔部
１１２…蓋体
１１Ａ…連通部
１１２ａ…上蓋部
１１２ｂ…後蓋部
１１２ｃ…蝶番部
ＤＳ…配線ダクト空間
【図１】
2004329340.tif 000003
【図２】
2004329340.tif 000004
【図３】
2004329340.tif 000005
【図４】
2004329340.tif 000006
【図５】
2004329340.tif 000007
【図６】
2004329340.tif 000008
【図７】
2004329340.tif 000009